(57)【要約】      （修正有）【課題】屋外使用に向かない表示装置を流用可能な警備用案内装置を提供する。【解決手段】屋外に設置する工事看板などの対象物へと取付可能な、警備用案内装置Ａであって、画面１１に案内文を出力する機能を有する表示装置１０と、表示装置１０を収容するケースであって、該ケースの一部または全部を透明又は半透明に構成して、収容した表示装置１０の画面１１を視認可能な収容ケース２０と、収容ケースを対象物に取付可能な取付部３０と、を少なくとも有し、表示装置１０への浸水を収容ケース２０でもって抑制することで屋外使用を可能とする。【選択図】図１
0003223466.tif 000002
【実用新案登録請求の範囲】
【請求項１】
構造物、安全標識、工事看板または安全鋼板等、あるいはこれらに別途追加する別部材を含む対象物へと取付可能な、警備用案内装置であって、
案内文を画面に出力する機能を有する、表示装置と、
前記表示装置を収容するケースであって、該ケースの一部または全部を透明又は半透明に構成して、収容した前記表示装置の前記案内文を視認可能な、収容ケースと、
前記収容ケースを、前記対象物に取付可能な、取付部と、
を少なくとも有し、
前記収容ケースが前記表示装置への浸水を抑制することを特徴とする、
警備用案内装置。
【請求項２】
前記対象物への取付状態において、前記収容ケースの正面側、側面側および底面側のうち何れか１つの面に、前記表示装置の収容口を設けてあることを特徴とする、
請求項１に記載の警備用案内装置。
【請求項３】
前記取付部が、対象物に巻き付け可能な長尺材を少なくとも含むことを特徴とする、
請求項１または２に記載の警備用案内装置。
【請求項４】
前記取付部が、対象物に磁着可能な磁石を少なくとも含むことを特徴とする、
請求項１乃至３のうち何れか１項に記載の警備用案内装置。
【請求項５】
前記収容ケースが、キャラメルクリアケースであることを特徴とする、
請求項１乃至４のうち何れか１項に記載の警備用案内装置。
【請求項６】
前記収容ケースおよび前記取付部が、一つの展開図から構成されることを特徴とする、
請求項１乃至５のうち何れか１項に記載の警備用案内装置。
【請求項７】
前記表示装置が、案内音声を音声出力する機能を更に有することを特徴とする、
請求項１乃至６のうち何れか１項に記載の警備用案内装置。
【考案の詳細な説明】
【技術分野】
【０００１】
本考案は、構造物、安全標識、工事看板または安全鋼板等、あるいはこれらに別途追加する別部材を含む対象物へと取付可能な、警備用案内装置に関する。
【背景技術】
【０００２】
工事現場などで歩行者や車両の誘導を行うために設置しておく案内装置として、以下の非特許文献１に記載のＬＥＤサインがある。
このＬＥＤサインは、前面にＬＥＤ表示部を設けてあり、このＬＥＤ表示部に、プリセットされたメッセージを表示可能に構成している。
【先行技術文献】
【非特許文献】
【０００３】
【非特許文献１】https://www.monotaro.com/g/01344217/?t.q=LED%81%40%95W%8E%AF
【考案の概要】
【考案が解決しようとする課題】
【０００４】
上記のＬＥＤサインは屋内専用であるところ、屋外での使用には耐候性や防水性が求められるため、屋内専用のＬＥＤサインを屋外でそのまま使用することはできなかった。
そのため、ＬＥＤサインの筐体を耐候性や防水性に優れる素材や構造とする専用品を製作する必要があり、コスト増に繋がっていた。
【課題を解決するための手段】
【０００５】
上記課題を解決すべくなされた本願考案は、構造物、安全標識、工事看板または安全鋼板等、あるいはこれらに別途追加する別部材を含む対象物へと取付可能な、警備用案内装置であって、案内文を画面に出力する機能を有する、表示装置と、前記表示装置を収容するケースであって、該ケースの一部または全部を透明又は半透明に構成して、収容した前記表示装置の前記画面を視認可能な、収容ケースと、前記収容ケースを、前記対象物に取付可能な、取付部と、を少なくとも有し、前記収容ケースが前記表示装置への浸水を抑制することを特徴とするものである。
また、前記考案において、前記対象物への取付状態において、前記収容ケースの正面側、側面側および底面側のうち何れか１つの面に、前記表示装置の収容口を設けておくこともできる。
また、前記考案において、前記取付部を対象物に巻き付け可能な長尺材を少なくとも含めておくことができる。
また、前記考案において、前記取付部を対象物に磁着可能な磁石を少なくとも含めておくことができる
また、前記考案において、前記収容ケースにキャラメルクリアケースを用いることもできる。
また、前記考案において、前記収容ケースおよび前記取付部を一つの展開図から構成することもできる。
また、前記考案において、前記表示装置に案内音声を音声出力する機能を更に設けておくこともできる。
【考案の効果】
【０００６】
本考案によれば、以下に記載する効果のうち、少なくとも何れか１つの効果を奏する。
（１）表示装置を収容する収容ケースが、防水性や耐候性の向上に寄与するカバーとして機能するため、屋外使用に向かない表示装置を流用することができる。
（２）収容ケースの正面側、側面側および底面側のうち何れか１つの面に収容口を設け、すなわち収容口の上面側に収容口を設けないことで、収容ケース内部への浸水を極力防止し、内部の表示装置の故障を抑制することができる。
（３）取付部に長尺材を用いることで、該長尺材の巻き付け作業のみで、対象物に警備用案内装置を簡単に取り付けることができる。
（４）取付部に磁石を用いることで、磁着可能な鉄製などの対象物に対し、警備用案内装置を簡単に取り付けることができる。
（５）収容ケースにキャラメルクリアケースを用いることで、屋外使用に向かない表示装置を、安価かつ簡便に屋外向けへと改良することができる。
（６）一つの展開図でもって収容ケースと取付部とを一体的に形成することで、製造コストの低廉に寄与する。
（７）表示装置に案内音声を音声出力する機能を更に持たせることで、設置箇所周辺の歩行者やドライバーへの注意喚起機能が向上する。
【図面の簡単な説明】
【０００７】
【図１】実施例１に係る警備用案内装置の概略図。
【図２】図１に係る警備用案内装置の使用イメージを示す図。
【図３】実施例２に係る警備用案内装置の使用イメージを示す図。
【図４】実施例３に係る警備用案内装置の展開図および組立図。
【考案を実施するための形態】
【０００８】
以下、図面を参照しながら、本考案の実施例について説明する。
【実施例１】
【０００９】
＜１＞全体構成（図１）
本考案に係る警備用案内装置Ａは、構造物、安全標識、工事看板または安全鋼板等、あるいはこれらに別途追加する別部材を含む対象物へと取り付けて、周囲の歩行者やドライバーに情報提供や注意喚起を行うための装置である。
本考案に係る警備用案内装置Ａは、少なくとも、表示装置１０、収容ケース２０および取付部３０を少なくとも具備する。
以下、各構成要素の詳細について説明する。
【００１０】
＜２＞表示装置（図１）
表示装置１０は、本考案に係る警備用案内装置Ａの設置箇所において、周辺の歩行者やドライバーなどの者に対し、案内文を画面１１に出力して、情報提供や注意喚起を行うための装置である。
表示装置１０は、前面にＬＥＤなどのディスプレイからなる画面１１を有しており、当該画面１１を駆動するための電源やバッテリー、案内文を記録または記憶するための記憶装置や制御装置を内蔵して、いわゆる電光掲示板のように機能する。
図１に示す本実施例では、表示装置が、横方向を長手方向とする略直方体状を呈しており、前面には、画面１１を配置して「足元に注意してください」の案内文を表示している。
【００１１】
＜２．１＞音声出力機能
さらに、本考案に係る表示装置は、前記した案内文の画面表示機能に加えて、案内音声をスピーカーで出力する機能を組み込んでもよい。
この案内音声は、電源を入れている間、常時出力する形でもよいし、別途人感センサを設けて、近くに歩行者などが近づいてきたときにのみ出力する形でもよい。
【００１２】
＜３＞収容ケース（図１）
収容ケース２０は、表示装置１０を収容するための部材である。
収容ケース２０は、該ケースの一部または全部を透明又は半透明に構成することで、内部に収容した表示装置１０の画面１１に表示される案内文を視認可能に構成する。
収容ケース２０の素材は、所望の強度または耐候性を有する、公知の素材から適宜採用することができる。
図１に示す本実施例では、収容ケース２０を、透明のＰＥＴ樹脂で構成したクリアケース（いわゆる「キャラメルクリアケース」）を用いている。
このキャラメルクリアケースは、商品のパッケージなどに使用されており、箱の六面を構成する一対の面をキャラメル式の蓋部としたものや、一方の面をキャラメル式の蓋部としつつ、他方の面を地獄式、ワンタッチ式、ロック式の蓋部で構成したものなどがある。
この収容ケース２０に表示装置１０を収容することにより、表示装置１０に雨などの水が直接飛散して故障を誘引することがなくなる。
【００１３】
また、収容ケース２０は、該収容ケース２０の素材を表示装置１０の筐体に使用されている素材よりも耐候性に優れるものを用いたり、収容ケース２０に耐候性に優れるフィルムなどを貼り付けたりしてもよい。
【００１４】
＜３．１＞収容口・蓋部（図１）
収容口２１は、表示装置１０を収容ケース２０の内部に収容するための要素である。
収容口２１は、警備用案内装置Ａを対象物に取り付けた状態において、収容ケース２０の正面側、側面側および底面側のうち何れか１つの面に設けておくことが好ましい。
図１に示す本実施例では、キャラメルクリアケースで構成した収容ケース２０の左右（両側面側）に設けたキャラメル式の蓋部２２を開けて収容口２１としている。
収容口２１を左右の側面の何れかに設けておくと、表示装置１０を収容ケース２０に収容する際や、収容ケース２０から取り出す際の作業効率性に優れる点で有益である。
また、蓋部２２は、図１に示すように、収容ケース２０の上面を構成する面と連続性を持たせた形で設けておくことが好ましい。
これは、収容ケース２０の上面と蓋部との間が連続性を有さずに隙間が形成されている場合、降雨時などに、雨水が蓋の隙間から収容ケースの内部へと侵入してしまうことを抑制するためである。
【００１５】
＜４＞取付部（図１）
取付部３０は、収容ケース２０を、構造物、安全標識、工事看板または安全鋼板等、あるいはこれらに別途追加する別部材を含む対象物に取り付けるための要素である。
取付部３０は、収容ケース２０に別途取り付けて、対象物に巻き付けて取り付け可能な長尺材３１や、対象物と磁着可能な磁石３２などを使用することができる。
長尺材は、紐状、帯状、その他公知の形状を採用することができ、また長尺材の本数も特段限定されない。
なお、本考案では長尺材を対象物に結びつける方法も考えられるが、取り外しの際に結んだ紐をほどく作業が煩わしい場合も考えられるため、取付部と対象物との取付機構は、比較的脱着作業が容易な構造を採用することが好ましい。
また、長尺材３１の素材は、所望の強度または耐候性を有する、公知の素材から適宜採用することができる。
取付部３０は、収容ケースと一体的に成形してもよいし、別部材としてもよい。
図１に示す本実施例では、収容ケース２０とは別部材の帯状に形成した長尺材３１を、取付部３０とし、当該取付部を収容ケースに接着した構成としている。
【００１６】
＜５＞使用方法（図２）
図１に示した警備用案内装置Ａの使用イメージ図を図２に示す。
図２では、警備用案内装置Ａを取り付ける対象物を工事看板Ｂとしている。
工事看板Ｂは、フレームＢ１と、フレームＢ１の前面側に磁着する表示板Ｂ２とからなる。
【００１７】
＜５．１＞フレーム・表示板
フレームＢ１は、横枠Ｂ１１と建枠とを組み合わせた略矩形の枠組部分であり、表示板は、前面に工事の内容や通行者への注意喚起のメッセージなどが記載されている部材である。
この表示板Ｂ２に記載するメッセージが現場に適したものであれば、そのまま工事看板Ｂとして使用することができるが、現場に余っている無関係の工事看板Ｂなどを使用する場合には、本願出願人が以前出願した実用新案登録第３２１１６９０号に係る折りたたみ式の警備看板や、実用新案登録第３２１７３１４号に係る巻き取り式の警備補助具を、表示板Ｂ２の上に被せて使用してもよい。
【００１８】
＜５．２＞警備補助具の追加
なお、図２では、実用新案登録第３２１７３１４号に係る巻き取り式の警備補助具Ｃを、表示板Ｂ２の上に被せている。
この警備補助具Ｃは、巻き取ってロール状にすることが可能な面材Ｃ１で構成し、この面材Ｃ１に視覚上の警備効果を発揮可能な文字、図画、写真またはこれらの組合せ（本実施例では立哨姿の警備員）を表示させている。
【００１９】
＜５．３＞警備用案内装置
本考案に係る警備用案内装置Ａは、長尺材３１からなる取付部３０を、フレームＢ１を構成する上側の横枠Ｂ１１の上から背面側を経由して前面側に巻き付けており、長尺材３１の解放端側を、互いに磁着する横枠Ｂ１１と表示板Ｂ２との間に介在させて挟み込んだ構造を呈している。
当該構造により、収容ケース２０に収容した表示装置１０を、対象物に確実に固定した状態で取り付けることができ、強風などが発生しても表示装置が外れることは無い。
【００２０】
＜５．４＞機能・作用
本実施例に係る警備用案内装置Ａによれば、表示装置１０が収容ケース２０に収容された状態で案内文を視認可能に表示するため、表示装置１０そのものに防水性や耐候性を持たせる必要が無くなる。
その結果、既存の屋内用の表示装置１０を流用でき、低コストで屋外対応した案内装置を提供することができる。
【実施例２】
【００２１】
図３に、本考案に係る警備用案内装置Ａの実施例２について説明する。
図３では、図２に示した工事看板Ｂの表示板Ｂ２を取り除いたフレームＢ１のみを用い、当該フレームＢ１に本考案に係る警備用案内装置Ａを取り付けた状態を示している。
本実施例では、長尺材３１の端部に別途磁石３２を設けておき、フレームＢ１の横枠Ｂ１１に磁石３２を磁着することで、警備用案内装置Ａを工事看板Ｂに対してより強固に取り付けたものである。
【実施例３】
【００２２】
図４に、本考案に係る警備用案内装置Ａの実施例３について説明する。
図４（ａ）は、本実施例に係る警備用案内装置Ａの展開図であり、図４（ｂ）は、当該警備用案内装置Ａの組立図である。
本実施例に係る警備用案内装置は、収容ケース２０および取付部３０を一体的に成形する態様とした一つの展開図からなるキャラメルクリアケースで構成している。
図４（ａ）に示す展開図では、収容ケース２０の上面の縁部から長尺材３１が延伸しており、その長尺材３１の両側には、折り畳むことで収容ケース２０に対し長尺材３１を支持可能なスタンド３２を設けている。
また、スタンド３２には差込爪３２１を設け、長尺材３１にも当該差込爪３２１に対応するスリット３１１を設けておく。
図４（ｂ）に示すように、組立時にはスリット３１１に差込爪３２１を差し込むことで、長尺材３１に対してスタンド３２を固定し、警備用案内装置Ａの安定性を高めている。
本実施例によれば、収容ケース２０および取付部３０を一つの展開図から構成したキャラメルクリアケースで構成することで、製造コストの低廉に寄与する。
【符号の説明】
【００２３】
Ａ      警備用案内装置
Ｂ      工事看板
Ｂ１    フレーム
Ｂ１１  横枠
Ｂ１２  縦枠
Ｂ２    表示板
Ｃ      警備補助具
Ｃ１    面材
１０    表示装置
１１    画面
２０    収容ケース
２１    収容口
２２    蓋部
３０    取付部
３１    長尺材
３１１  スリット
３２    スタンド
３２１  差込爪
３２    磁石
【図１】
0003223466.tif 000003
【図２】
0003223466.tif 000004
【図３】
0003223466.tif 000005
【図４】
0003223466.tif 000006